(57)【要約】【課題】  この発明は、シールがされた蓋材を容易に開封することができ、内容物の取り出しが容易な容器を得ることを課題とするものである。【解決手段】  外周部にフランジ２が設けられた２層以上の多層構造シートからなる容器において、前記多層構造中少なくとも２層以上が剥離容易に接合し、一の剥離容易な接着部接合部１３よりフランジ上面側の上層シート１１及び前記剥離容易な接合部１３よりフランジ下面側の下層シート１２には、それぞれ異なる位置にフランジ２に沿って切断線３，４を形成し、剥離層１３よりフランジ上面側シート層１１の切断線３の位置はフランジ２の内縁側とし、前記剥離容易な接合部１３よりフランジ下面側シート層１２の切断線４の位置はフランジ２の外縁側としたものである。【選択図】  図４
2006044717.tif 000002
【特許請求の範囲】
【請求項１】
フランジ付きの容器であって、フランジ上面に蓋体を接着して容器を密封するようにしたものにおいて、
前記容器は、２層以上のシートが剥離容易に接合された多層構造シートの成形容器とし、
前記フランジはその上面の外縁側を蓋体接着部とし、内縁側は蓋体無接着部とし、
前記フランジには蓋体接着部と無接着部との間に、フランジの外縁側を分離可能とする切断線が形成された、シート成形容器
【請求項２】
フランジ付きの容器であって、フランジ上面に蓋体を接着して容器を密封するようにしたものにおいて、
前記容器は、２層以上のシートが剥離容易に接合された多層構造シートの成形容器とし、
前記フランジはその上面の外縁側を蓋体接着部とし、内縁側は蓋体無接着部とし、
前記フランジには蓋体接着部と無接着部との間に、蓋体と接着した層の外縁側を分離可能とする切断線が形成され、
フランジの下側には、フランジの外縁側から内縁側に掛けて補助切断線が設けられた、  シート成形容器
【請求項３】
切断線は、蓋体と接着した上層シートの内縁よりと、下層シートの外縁よりに形成され、上層シートと下層シートの双方のフランジ外縁側が分離可能とした、請求項１又は２記載のシート成形容器
【請求項４】
下層シートには、切断線を始点としてフランジ内縁に向けて変形用の補助切断線が設けられ、補助切断線によって容器開口部が膨出できるようにした、請求項３記載のシート成形容器
【請求項５】
切断線は、蓋体と接着した上層シートのみに形成され、下層シートには、フランジの外縁からフランジ内縁側に向けてフランジの内縁に至らない変形用の補助切断線が設けられ、補助切断線によって容器開口部が膨出できるようにした、請求項２記載のシート成形容器
【請求項６】
補助切断線は、蓋体の開封方向と平行又は開封方向に逆らう方向に形成した、請求項４又は５に記載のシート成形容器
【発明の詳細な説明】
【技術分野】
【０００１】
この発明は、強度のあるシールがされても容易に開封でき、かつゲル状の内容物を容易に取り出すことのできるシート成形容器に関するものである。
【背景技術】
【０００２】
加工食品その他の物品の包装に際しては、内容物を容器に収納後、蓋材を容器にシールして内容物を保護し消費者に提供するのが一般的である。
メーカーは蓋材のシールに強度を持たせようとする。特に食品メーカーは、内容物の安全性確保に細心の注意を払うため、内容物充填後に容器に異物、雑菌等が混入しないよう、また、内容物が漏出しないよう蓋材のシールに強度を持たせようとする意向が強い。
一方、消費者の立場からは、内容物の安全性が確保されていることは当然であるが、同時に開封しやすい容器であることが望まれる。しかし、シール強度を高めて安全性を追求すると蓋材と容器との接着が強くなり、開封しづらい結果となる。逆に蓋材の開封容易性を追求するとシール強度が低くなって内容物の安全性が担保できないこととなる。内容物の安全性を確保と開封の容易性とを両立させることは容易なことではない。
【０００３】
従来、開口部がフィルム等の蓋材でシールされた容器について、これを開封する手段としては、蓋材のみをシール部分から剥がして開封する方法、蓋材が接着された容器材のフランジの一部を突出させ、突出部をつまんで切断し、蓋材とともにシール部分から剥がして開封する方法があった。
【０００４】
しかしながら、上記従来の手段においては、シール強度が高いとシール部分で蓋材が破れて開封できなかったり、開封途中で蓋材が破れたりして、適切な開封ができない場合がある。
【特許文献１】特公平６−５９９０７
【０００５】
上記問題点を解決するものとして、容器本体を多層構造のシートを用い、容器本体のフランジ部に切断線を設けたものが提案されている。
例えば、特公平６−５９９０７号の発明は、容器本体の層間接着力を容器本体のフランジ部と蓋材との接着力よりも小さくなるように構成し、ヒートシール部の内側に環状の切断線を設けた構成である。
この構成においては、蓋材と共にフランジ部の外縁側が容器本体から引き離されることとなり、比較的小さな力で開封することができる。しかしながら、剥離開始時に蓋材をつかむための摘み部が必要である。
【特許文献２】特開平１１−４３１９０
【０００６】
上記発明は、容器底部に突起を設け、この突起を折ることにより容器底部に空気孔を形成し、ここから容器内に空気が流入することにより、内容物が容器内壁から剥がれやすくなり、容器を逆さにすることによって、内容物が型くずれすることなく落下するようにしたものである。
【０００７】
上記構成においては、容器が硬質なものでなければならず、軟質なシート成形容器に適用することはできない。また、突起を形成するために、底部を上げ底状にしなければならないという問題点もある。
【発明の開示】
【発明が解決しようとする課題】
【０００８】
この発明は、シールがされた蓋材を容易に開封することができるシート成形容器を提供することを課題とするものである。
【課題を解決するための手段】
【０００９】
請求項１の発明は、フランジ付きの容器であって、フランジ上面に蓋体を接着して容器を密封するようにしたものにおいて、前記容器は、２層以上のシートが剥離容易に接合された多層構造シートの成形容器とし、前記フランジはその上面の外縁側を蓋体接着部とし、内縁側は蓋体無接着部とし、前記フランジには蓋体接着部と無接着部との間に、フランジの外縁側を分離可能とする切断線を形成してシート成形容器を構成するものである。
請求項２の発明は、フランジ付きの容器であって、フランジ上面に蓋体を接着して容器を密封するようにしたものにおいて、前記容器は、２層以上のシートが剥離容易に接合された多層構造シートの成形容器とし、前記フランジはその上面の外縁側を蓋体接着部とし、内縁側は蓋体無接着部とし、前記フランジには蓋体接着部と無接着部との間に、蓋体と接着した層の外縁側を分離可能とする切断線を形成し、前記フランジの下側には、フランジの外縁側から内縁側に掛けて補助切断線を設けてシート成形容器を構成するものである。
【００１０】
前記切断線は、蓋体と接着する上層シートとそれ以外の下層シートの双方に設ける構成（請求項３，４）と、上層シートのみに設ける構成（請求項５，６）とがある。前者においては、上層シートの切断線の位置はフランジの内縁側とし、下層「シートの切断線の位置はフランジの外縁側とすることが好ましい。
前記補助切断線は、フランジの外縁側から内縁側に向けて変形用の補助切断線を形成し、補助切断線によって容器を変形させて開口部を膨出するようにする構成（請求項３ないし６）が代表的である。
前記変形用の補助切断線は、蓋体の開封方向と平行又は開封方向に逆らう方向に形成することが好ましい（請求項６）。
【００１１】
前記切断線は、開封して内容物が取り出せるように形成してあればよく、必ずしも環状完結に形成する必要はない。例えば、平面方形の容器であれば、３縁に形成されていれば足り、環状不完結でもよい。
また、切断線の深さは開封時に切除されるシート厚と同等とするほか、シートの素材によっては切除されるシート厚の２／３程度で足りる場合もある。要はカッターなどを用いずに指で引き上げる力によって該部が破断できるものであればよい。
この発明における多層シートは、２層以上が剥離容易に接合された公知の合成樹脂シートを適宜使用することができるが、合成樹脂シート以外、例えば紙製や金属箔製の多層構造シートを使用することも可能である。
【発明の効果】
【００１２】
この発明の容器は、フランジ上面に蓋材を熱シールその他適宜の方法で接着して使用するものである。
開封時は、フランジを指で摘み、そのまま引き上げると多層シートは切断線で切断されるので、外縁部は容器から引き離される。その結果、蓋材には容器フランジの外縁部が付いたままで開封されることとなる。
その結果、以下の効果が得られる。
１）フランジ外縁部が開封時における蓋材周縁部を補強する機能を果たし、剥離するための力が有効に剥離面に伝達される。
２）剥離容易なシート材の上層と下層との間が引き剥がされるので、蓋材がフランジに強固に接着されている場合でも、容易に開封することができる。特に、上層のシート材の切断線よりも内側を非接着部とすることにより、蓋材の接着強度は開封に要する力に影響を与えない。
３）したがって、蓋材を強固に接着しつつ開封容易とすることができる。
【００１３】
上記において、請求項２ないし５の発明においては、上層シートと下層シートの双方に切断線を設けてあるので、上層シートと下層シートの上下から指で摘んで引き上げることにより開封できる。したがって、上層シートのみを摘む必要がないので、開封時に上層シートを摘むための突片は不要である。
【００１４】
また、開封後に補助切断線を切断し、変形することにより容器の周壁と容器に充填された内容物（例えばプリン、豆腐）との間に空気が入り込むので、容器を下に向けることにより内容物を無理なく取り出すことができる。
【発明を実施するための最良の形態】
【００１５】
以下、この発明を実施するための最良の形態を図面に基づいて説明する。
図１における容器１は、容器内面を構成する上層シート１１と外面を構成する下層シート１２とを剥離層１３を介して剥離容易に接合した２層構造の合成樹脂シートで成形されている。
上層シート１１と下層シート１２は、内容物によって求められる機能に応じた素材、例えばポリエチレン、ポリスチレン、ポリプロピレン、ポリエチレンテレフタート、若しくはそれらの複合樹脂、無機成分含有樹脂等が考えられるが、これに限定されるものではない。
上層シート１１と下層シート１２は、試験法で定められる１５ｍｍ幅引っ張り強度が５０ｇ以下の易剥離層１３で公知のラミネート方法（ドライラミネート、ウェットラミネート、ホットメルト、サンドラミネート、押し出しラミネート等）で接合されている。
上層シート１１と下層シート１２の剥離容易性を確保するためには、上層シート１１の肉厚を下層シート１２の肉厚の７０％以下とすることが好ましい。
【００１６】
前記容器１の外周部にはフランジ２が設けられている。フランジ２において上層シート１１には上面から剥離層１３まで切り込まれた切断線３がフランジ２の内縁側に環状に形成されている。他方、下層シート１２には下面から剥離層１３まで切り込まれた切断線４がフランジ２の外縁側に環状に形成されている。切断線３と切断線４は少なくとも１ｍｍ以上の間隔を置いて形成される。
【００１７】
下層シート１２には下面から剥離層１３まで切り込まれた３本の変形用の補助切断線１０ａ，１０ｂ、１０ｃが形成されている（以下、３本全てを対象として説明する場合は符号１０で代表させる）。これらの補助切断線１０は、フランジ２の切断線４を始点としてフランジ内縁に掛けて形成されている。また、上層シート１１の切断線３はフランジ２の内縁に近接して形成し、容器口部の変形が容易になるようにしてある。
これらの変形用の補助切断線１０は、開封時に変形しないように、開封方向に平行又は直角以上の角度をなして形成し、蓋体には開封開始位置を示す表示１４が付されている。
すなわち、図３においては、蓋体８の開封開始位置の表示１４が容器の一隅に位置するので、これに対応して、変形用の補助切断線１０ａ、１０ｃは内側端を前記表示１４に向けて傾斜して形成してある。図３中矢印は開蓋方向を示すものである。
【００１８】
以下この容器の使用方法を説明する。
容器１に内容物（例えばプリンや豆腐）を充填した後、容器１の開口部７を塞ぐための蓋材６がフランジ２の上層シート１１に熱溶着などの手法によりシールされる。上層シート１１と蓋材６の接着部７は、切断線３が形成された位置よりもフランジ外縁側とし、切断線３よりも内縁側は無接着部とする。
上記において、蓋材８に開口のための摘みとなる突片は不要である。
【００１９】
この容器における蓋材６を除去する手法は以下の通りである。
まず、フランジ２の任意の箇所をシート１１、１２を上下から挟んで摘む。次いで摘んだ指を引き上げると、まず下層のシート１２が切断線４で切断され、更に引き上げると上層のシート１１が剥離層１３で剥離し、次いで切断線３で切断される（図４）。
したがって、下層のシート１２の切断線４より外縁側と上層のシート１１の切断線より外縁側、そして蓋材６が一体となって容器本体１から分離される。その結果、蓋材６は除去され、容器は開口する。
このとき、蓋材６の接着部７を剥離する必要はない。
【００２０】
蓋材６を除去すると、下層シート１２に形成された変形用の補助切断線１０ａ、１０ｂ、１０ｃが露出する。そこで、補助切断線１０部分で下層シート１２のフランジ部を摘んで外側に押し広げると、容器の側壁もまた外側に広げられる。３本の変形用の補助切断線１０の部分でそれぞれフランジを押し広げる。
上記押し広げ作業により、容器の内壁と内容物Ｐとの間に間隙Ｓが生じ、容器の内壁と内容物Ｐとの間に空気が流入する。その結果、容器の天地を逆にすることにより内容物は自然に落下し、型くずれのおそれなくこれを取り出すことができる。
【００２１】
前記変形用の補助切断線１０は、蓋材６が接着されている状態では上層シート１１に被覆されており、かつ補助切断線１０はフランジの内外を貫通していないので、開封前において補助切断線１０が外気の流入路になるおそれはない。
【００２２】
上記において、蓋材６は切断線３よりも外側で内層シート１１とシールされているので、切断線４の位置で切断された外層シート１２及び切断線３の位置で切断された内層シート１１とともに、シールを剥離することなく、前記フランジから容易に除去することができる。したがって、シール強度は蓋の除去の難易差に影響しないので、内容物の安全性を確保すべくシール強度を高くしながら、蓋を容易に開封することができる。
【００２３】
また、蓋材６は周縁部に上層シート１１及び下層シート１２がシールされた状態で蓋材６の除去作業が行われるため、蓋材の周縁部の強度は蓋材のみを容器から剥離する場合よりも高くなっており、開封途中で蓋材が破れてしまうことがない。
【００２４】
また、蓋材には開封するためのつまみ等の余分な突出部を設ける必要もないから、開封前に突出部が欠損したりして開封が困難になるということもない。仮に、前記フランジの一部が欠損したとしても、前記切断線３及び前記切断線４が形成されている範囲ないであれば任意の位置から開封することができるので、欠損部分以外の部分からも開封することができる。
【発明を実施するための最良の形態２】
【００２５】
この実施形態は、上層シート１１のみに環状の切断線３を形成し、下層シート１２には変形用の補助切断線のみを形成したものである。
図６において、下層シート１２には下面から剥離層１３まで切り込まれた３本の変形用の補助切断線１０ａ，１０ｂ、１０ｃが形成されている（以下、３本全てを対象として説明する場合は符号１０で代表させる）。これらの補助切断線１０は、フランジ２の外側縁から内側に向けて形成されており、その内側端はフランジの内側縁に至らない位置としてある。
また、これらの補助切断線１０は、開封時に変形しないように、開封方向に平行又は直角以上の角度をなして形成されている。すなわち、図７においては、蓋体６の開封用摘み８が容器の一隅に位置するので、これに対応して、補助切断線１０ａ、１０ｃは内側端を前記開封用摘み８に向けて傾斜しており、補助切断線１０ｂはフランジの縁と直角に形成してある。
【００２６】
以下この容器の使用方法を説明する。
この容器において、蓋材６の開封用摘み８を摘んで引き上げると、上層シート１１も引き上げられるので、上層シート１１の開封用切断線３よりフランジ外縁側は下層シート１２から引き剥がされる。したがって、上層のシート１１の切断線より外縁側と蓋材６が一体となって容器本体１から分離され、蓋材６は除去され、容器は開口する。
このとき、蓋材６の接着部７を剥離する必要はない。
【００２７】
蓋材６を除去すると、下層シート１２に形成された変形用の補助切断線１０が露出する。そこで、補助切断線部分で下層シート１２のフランジ部を摘んで外側に押し広げると、容器の側壁もまた外側に広げられる。３本の変形用切断線の部分でそれぞれフランジを押し広げる。
上記押し広げ作業により、容器の内壁と内容物Ｐとの間に間隙Ｓが生じ、容器の内壁と内容物Ｐとの間に空気が流入する。その結果、容器の天地を逆にすることにより内容物は開口部５から自然に落下し、型くずれのおそれなくこれを取り出すことができる。
【００２８】
上記において、前記変形用の補助切断線１０は、蓋材が接着されている状態では上層シート１１に被覆されており、かつ補助切断線１０はフランジの内外を貫通していないので、開封前において補助切断線１０が外気の流入路になるおそれはない。
【産業上の利用可能性】
【００２９】
この発明は、容器の蓋剤のシールを強固にしつつも容易に開口でき、加えてゲル状の内容物を容易に取り出すことのできるるものであり、産業上利用可能性を有するものである。
【図面の簡単な説明】
【００３０】
【図１】この発明実施形態１の一部断面図
【図２】同じく一部斜視図
【図３】同じく平面図
【図４】同じく開口状態を示す一部断面図
【図５】同じく補助切断線で切断した状態の斜視図
【図６】この発明実施形態２の一部断面図
【図７】同じく平面図
【符号の説明】
【００３１】
１  容器
１１  上層シート
１２  下層シート
２  フランジ
３  上層シート切断線
４  外層シート切断線
５  開口部
６  蓋材
７  接着部
８  摘み
１０  変形用の補助切断線
Ｓ  間隙
Ｐ  内容物
【図１】
2006044717.tif 000003
【図２】
2006044717.tif 000004
【図３】
2006044717.tif 000005
【図４】
2006044717.tif 000006
【図５】
2006044717.tif 000007
【図６】
2006044717.tif 000008
【図７】
2006044717.tif 000009